(57)【要約】【課題】転送先端末機が一定時間不応答で転送元端末機を再呼出しする場合および転送元端末機が再呼出しに応答した場合、転送元端末機に転送先端末機の内線番号を表示し、被転送者から再度転送要求がある場合に容易に対応でき、転送業務の効率化を図る。【解決手段】表示器ＬＣＤを備えた電話機ＴＥｘと発信者番号情報を通知可能な公衆網ＮＴとを収容接続する交換装置２であって、電話機ＴＥｘが、公衆網ＮＴからの着信呼に電話機ＴＥｘが応答した後に、当該着信呼を転送先電話機ＴＥ１に転送操作を行ったのち、交換装置２が、転送操作により転送先電話機ＴＥ１を呼び出す場合、転送先電話機ＴＥ１が、一定時間呼び出しに応答しない場合に、電話機Ｔｅｘを再呼出しするとともに、電話機ＴＥｘの表示器ＬＣＤに、前記着信により通知された発信者番号情報と、転送先電話機ＴＥ１の電話番号を合わせて表示するようにした。【選択図】図１
2008160885.tif 000002
【特許請求の範囲】
【請求項１】
表示器を備えた電話機と発信者番号情報を通知可能な公衆網とを収容接続する交換装置であって、
前記電話機が、前記公衆網からの着信呼に前記電話機が応答した後に、当該着信呼を転送先電話機に転送操作を行ったのち、前記交換装置が、前記転送操作により転送先電話機を呼び出す場合、前記転送先電話機が、一定時間呼び出しに応答しない場合に、前記電話機を再呼出しするとともに、前記電話機の表示器に、前記着信により通知された発信者番号情報と、前記転送先電話機の電話番号を合わせて表示することを特徴とする交換装置。
【請求項２】
表示器を備えた電話機と発信者番号情報を通知可能な公衆網とを収容接続する交換装置の着信呼の転送処理方法であって、
前記電話機が、
前記公衆網からの着信呼に前記電話機が応答した後に、当該着信呼を転送先電話機に転送操作を行うステップと、
前記交換装置が、
前記転送操作により転送先電話機を呼び出すステップと、
前記転送先電話機が、一定時間呼び出しに応答しない場合に、前記電話機を再呼出しするステップと、
前記電話機の表示器に、前記着信により通知された発信者番号情報と、前記転送先電話機の電話番号を合わせて表示するステップと、を有することを特徴とする着信呼の転送処理方法。
【発明の詳細な説明】
【技術分野】
【０００１】
本発明は、局線からの呼に応答し、応答した呼を転送する構内交換機システムに係り、特に転送先端末機が一定時間経過しても不応答の時に転送元端末機を再呼出しし、転送元端末機の表示器に転送先端末機の内線番号を表示する交換装置並びに着信呼の転送処理方法に関する。
【背景技術】
【０００２】
従来の構内交換機システムは、例えばホテル向けのように、フロントやオペレータが局線呼を客室に転送する場合、オペレータが転送元端末機（多機能電話機）の転送釦を操作後またはフッキング操作後、客室の転送先端末機（内線電話機）の内線番号をダイヤル発信することにより、局線呼を転送するものが知られている。
【０００３】
このような従来の構内交換機システムは、転送元端末機から転送先端末機に局線呼を転送した場合、客室の宿泊客が不在で、一定時間が経過しても転送先端末機が呼出しに応答がない時には、転送元端末機を再呼出しすることになるが、再呼出し時および再呼出し応答時に、転送元端末機の表示器に局線呼の加入電話機（被転送電話機）の電話番号、不応答のメッセージを表示させ、オペレータに直近に受付けた局線呼の加入電話機（電話番号）と、転送先端末機の宿泊客が不在であることを認識させ、オペレータが再呼出しに応答して局線呼の加入電話機（被転送者）に宿泊客が不在であることを通知するように構成されている。
【０００４】
また、従来の構内交換機は、「特許文献１」（交換機の簡易転送方式）に開示されているように、内線電話機Ａと内線電話機Ｂが通話中に、内線電話機Ｂが内線電話機Ａの呼を内線電話機Ｃに転送した時に、内線電話機Ｃが一定時間経過しても不応答で内線電話機Ｂを呼返す場合、内線電話機Ａに通常の呼出し音と異なる呼出し音を送出するように構成されている。
【０００５】
これにより、内線電話機Ａの発呼者は、まだ転送先である内線電話機Ｂを呼び出しているのか、内線電話機Ｃが一定時間不応答で転送元である内線電話機Ｂにもどっているのかを区別することができる。
【特許文献１】特開平５−２２４５８号公報
【発明の開示】
【発明が解決しようとする課題】
【０００６】
従来の構内交換機システムは、転送先端末機が一定時間不応答の時、転送元端末機を再呼出しする際および転送元端末機が再呼出しに応答した際に、転送元端末機の表示器に被転送電話機（被転送者）の電話番号、不応答のメッセージを表示させることができるが、オペレータが被転送者に転送要望先（宿泊者）が不在であることを通知した時に、被転送者から再び転送要望先（宿泊者）に転送要請がある場合には、転送先端末機の内線番号を被転送者から聞き直す必要があり、顧客（被転送者）に対するサービス低下を招く場合がある。
【０００７】
被転送者からの再度の転送要請に、転送先端末機の内線番号を被転送者から聞き直さないようにするためには、常に再転送要請があることを想定して転送先端末機の内線番号をメモなどに残す必要があり、オペレータの受付（転送）業務を煩雑にして業務効率の低下を招く虞がある。
【０００８】
また、「特許文献１」に記載された構内交換機の転送方式においても、転送元の内線電話機Ｂが内線電話番号帳を調べて内線電話機Ａを転送先の内線電話機Ｃに転送する場合には、内線電話機Ｃが一定時間不応答で呼び返され、内線電話機Ａから再び内線電話機Ｃへの転送要求がある時には、転送先の内線電話機Ｂの利用者は、再度内線電話番号帳を調べて内線電話機Ｃに呼を転送しなければならないため、転送作業が煩雑になる課題がある。
【０００９】
この発明はこのような課題を解決するためになされたもので、その目的は転送先端末機が一定時間不応答で転送元端末機を再呼出しする場合および転送元端末機が再呼出しに応答した場合、転送元端末機に転送先端末機の内線番号を表示し、被転送者から再度転送要求がある場合に容易に対応でき、転送業務の効率化を図る交換装置並びに着信呼の転送処理方法を提供することにある。
【課題を解決するための手段】
【００１０】
前記課題を解決するためこの発明に係る交換装置は、表示器を備えた電話機と発信者番号情報を通知可能な公衆網とを収容接続する交換装置であって、前記電話機が、前記公衆網からの着信呼に前記電話機が応答した後に、当該着信呼を転送先電話機に転送操作を行ったのち、前記交換装置が、前記転送操作により転送先電話機を呼び出す場合、前記転送先電話機が、一定時間呼び出しに応答しない場合に、前記電話機を再呼出しするとともに、前記電話機の表示器に、前記着信により通知された発信者番号情報と、前記転送先電話機の電話番号を合わせて表示することを特徴とする。
【００１１】
また、前記課題を解決するためこの発明に係る着信呼の転送処理方法は、表示器を備えた電話機と発信者番号情報を通知可能な公衆網とを収容接続する交換装置の着信呼の転送処理方法であって、前記電話機が、前記公衆網からの着信呼に前記電話機が応答した後に、当該着信呼を転送先電話機に転送操作を行うステップと、前記交換装置が、前記転送操作により転送先電話機を呼び出すステップと、前記転送先電話機が、一定時間呼び出しに応答しない場合に、前記電話機を再呼出しするステップと、前記電話機の表示器に、前記着信により通知された発信者番号情報と、前記転送先電話機の電話番号を合わせて表示するステップと、を有することを特徴とする。
【発明の効果】
【００１２】
この発明は、構内交換機に、転送元端末機および転送先端末機の転送呼の制御を実行し、転送先端末機が一定時間経過しても呼出しに不応答の時に、転送先端末機の呼出しを停止し、転送元端末機を再呼出しする場合および転送元端末機が再呼出しに応答する場合に、転送元端末機に転送先端末機の内線番号を表示させる再呼出し手段を備えたので、内線番号に基づいて再転送時のダイヤル発信、局線呼の音声録音ならびに着信通知メッセージの形成などの転送動作を実現することができる。
【００１３】
また、この発明に係る交換装置は、局線呼の転送対象となる転送先端末機の呼出し時間を監視するタイマ手段と、タイマ手段が一定時間を超えると転送先端末機への呼出しを停止し、転送元端末機を再呼出しするとともに、転送元端末機に転送先端末機の内線番号を表示させる制御を行う制御装置と、転送に必要な呼制御情報を格納する記憶装置とを備えたので、一定時間が経過して転送先端末機が応答しない時、転送元端末機を再呼出しする際および転送元端末機が再呼出しに応答する際には、転送元端末機の表示器に転送先端末機の内線番号を表示してオペレータに転送先端末機を認識させ、局線呼の被転送者から再度転送要求があっても容易に転送操作を実行することができ、転送業務の効率化を図ることができる。
【００１４】
さらに、この発明に係る交換装置は、転送元端末機に対して設定された呼制御情報領域に、転送先端末機の転送先を識別する内線番号データを格納するので、内線番号データに基づいて転送元端末機を再呼出しするタイミングで転送元端末機の表示器に転送先端末機の内線番号を表示することができ、再呼出しする場合でも転送先端末機の内線番号を残し、目視確認することができる。
【発明を実施するための最良の形態】
【００１５】
以下、この発明の実施の形態を添付図面に基づいて説明する。図１はこの発明に係る構内交換機システムの実施の形態基本ブロック構成図である。図１において、構内交換機システム１は、ホテル内に設置した構内交換機２と、客室内に設置し、宿泊客が使用する転送先端末機を構成する内線電話機ＴＥ１〜ＴＥｎと、フロントやオペレータ室に設置し、予約業務や受付業務に使用する転送先端末機を構成する多機能電話機ＴＥｘとから構成し、構内交換機２は、被転送電話機を構成する加入電話機ＴＥＬが接続される公衆網ＮＴの複数の局線を収容する。
【００１６】
構内交換機２は、通話路スイッチ３と、内線トランクＬＮ１〜ＬＮｎ，ＬＮｘと、局線トランクＣＯＴ１〜ＣＯＴｋと、制御装置５、記憶装置６およびタイマ手段７からなる再呼出し手段４とを備える。なお、通話路スイッチ３、制御装置５、記憶装置６、タイマ手段７は、制御バスＢＵを介して接続する。
【００１７】
通話路スイッチ３は、マトリクス形式の電子スイッチで構成し、制御装置５の制御により、内線電話機ＴＥ１〜ＴＥｎ相互間の通話路形成、内線電話機ＴＥ１〜ＴＥｎと多機能電話機ＴＥｘの通話路形成、内線電話機ＴＥ１〜ＴＥｎまたは多機能電話機ＴＥｘと公衆網ＮＴとの通話路の形成を実行する。
【００１８】
内線トランクＬＮ１〜ＬＮｎは、通話路スイッチ３に接続するとともに、それぞれ内線電話機ＴＥ１〜ＴＥｎを収容する。内線トランクＬＮｘは、通話路スイッチ３に接続するとともに、多機能電話機ＴＥｘを収容する。局線トランクＣＯＴ１〜ＣＯＴｋは、通話路スイッチ３に接続するとともに、公衆網ＮＴの複数の局線を収容する。また、公衆網ＮＴには、加入電話機ＴＥＬが接続される。なお、局線呼の転送について、加入電話機ＴＥＬを被転送電話機ＴＥＬ、多機能電話機ＴＥｘを転送元端末機ＴＥｘ、内線電話機ＴＥ１を転送先端末機ＴＥ１として説明する。
【００１９】
再呼出し手段４は、制御装置５、記憶装置６およびタイマ手段７で構成し、転送元端末機ＴＥｘおよび転送先端末機ＴＥ１の転送呼の制御を実行し、転送先端末機ＴＥ１が一定時間経過しても呼出しに不応答の時に、転送先端末機ＴＥ１の呼出しを停止し、転送元端末機ＴＥｘを再呼出しする場合および転送元端末機ＴＥｘが再呼出しに応答する場合に、転送元端末機ＴＥｘに転送先端末機ＴＥ１の内線番号を表示させる。
【００２０】
制御装置５は、マイクロプロセッサを基本に各種演算機能、処理機能を備え、制御バスＢＵを介して通話路スイッチ３、記憶装置６、タイマ手段７、音声録音装置８および着信通知装置９をコントロールすることにより、構内交換機２全体の動作を制御する。
【００２１】
制御装置５は、局線呼の転送時に転送先端末機ＴＥ１を呼出し、タイマ手段７の呼出し監視時間が一定時間を超えると転送先端末機ＴＥ１への呼出しを停止し、転送元端末機ＴＥｘを再呼出し（局線呼が着信時の呼出しが１回目）するとともに、再呼出し時点に、転送元端末機ＴＥｘに転送先端末機ＴＥ１の内線番号（例えば、内線番号「×××」）を表示させる制御を行う。
【００２２】
記憶装置６は、ＲＯＭ等の固定メモリ、ＥＥＰＲＯＭやフラッシュメモリ等の書替え可能なメモリで構成し、交換動作制御プログラムなどの各種プログラム、局データおよび各種テーブルを記憶する。
【００２３】
また、記憶装置６は、局線呼の転送に必要な共通の呼制御情報領域、転送元端末機の呼制御情報領域を備え、転送の呼制御に必要とされる被転送電話機ＴＥＬの電話番号（例えば、ナンバーディスプレイで通知される電話番号「○○○○○○」）や転送先端末機ＴＥ１の内線番号（例えば、内線番号「×××」）を格納する。
【００２４】
図２はこの発明に係る記憶装置の一実施の形態呼制御情報領域イメージ図である。（ａ）図は共通の呼制御情報領域、（ｂ）図は転送元端末機に割当てられた呼制御情報領域を表わす。
【００２５】
（ａ）図において、呼制御情報領域６ａは、転送の対象となる転送先端末機（内線電話機ＴＥ１〜ＴＥｎ）の転送先端末機内線番号データの全てを共通に格納する。ここでは、転送先端末機ＴＥ１の転送先端末機内線番号データ６ｃ（内線番号「×××」）を代表して表わす。
【００２６】
（ｂ）図において、転送元端末機の呼制御情報領域６ｂは、転送元端末機ＴＥｘが現時点で転送している転送先端末機ＴＥ１の転送先端末機内線番号データ６ｃ（内線番号「×××」）を格納するが、転送先端末機内線番号データ６ｃ（内線番号「×××」）を格納するタイミングは、転送先端末機ＴＥ１が転送の呼出しに一定時間経過しても不応答で、転送元端末機ＴＥｘが再呼出しされる時点で、制御装置５の制御により、共通の呼制御情報領域６ａから転送元端末機の呼制御情報領域６ｂに書き込まれる。
【００２７】
転送元端末機ＴＥｘが再呼出しされる場合を除き、転送元端末機の呼制御情報領域６ｂには、転送先端末機内線番号データ６ｃ（内線番号「×××」）が格納されず、空きの状態にある。
【００２８】
また、転送元端末機ＴＥｘが再呼出しされた時点で書き込まれた転送先端末機内線番号データ６ｃ（内線番号「×××」）は、転送元端末機ＴＥｘが再呼出しに応答しても書き込まれた状態を維持し、再呼出し後の一連の転送動作が終了した時点で消去される。
【００２９】
なお、図示しないが、呼制御情報領域６ａには、被転送電話機ＴＥＬの電話番号（電話番号「○○○○○○」）も格納され、転送先端末機内線番号データ６ｃ（内線番号「×××」）と同様に、転送元端末機ＴＥｘが再呼出しされた時点で、転送元端末機の呼制御情報領域６ｂに書き込まれるように構成してもよい。
【００３０】
このように、この発明に係る記憶装置６は、転送元端末機ＴＥｘに対して設定された呼制御情報領域（転送元端末機の呼制御情報領域６ｂ）に、転送先端末機ＴＥ１の転送先を識別する内線番号データ（例えば、内線番号「×××」）を格納するので、内線番号データ（例えば、内線番号「×××」）に基づいて転送元端末機ＴＥｘを再呼出しするタイミングで転送元端末機ＴＥｘの表示器に転送先端末機ＴＥ１の内線番号（内線番号「×××」）を表示することができ、再呼出しする場合でも転送先端末機の内線番号を残し、目視確認することができる。
【００３１】
タイマ手段７は、タイマで構成し、転送時に転送先端末機ＴＥ１の呼出しを開始した時点から計時を開始し、予め設定された一定時間が経過するとタイマ信号を制御装置５に供給する。
【００３２】
また、タイマ手段７は、転送元端末機ＴＥｘの再呼出しを開始した時点から計時を開始し、予め設定された所定時間が経過するとタイマ信号を制御装置５に提供する。
【００３３】
さらに、タイマ手段７は、ウォッチ機能を有し、転送元端末機ＴＥｘが局線呼に応答した時刻または転送動作が終了して局線を開放した時刻の時刻信号（○○月●●日□□時△△分）を制御装置５に提供し、音声伝言または着信通知メッセージの局線呼があった時刻のタイムスタンプに利用する。
【００３４】
このように、この発明に係る再呼出し手段４は、局線呼の転送対象となる転送先端末機ＴＥ１の呼出し時間を監視するタイマ手段７と、タイマ手段７が一定時間を超えると転送先端末機ＴＥ１への呼出しを停止し、転送元端末機ＴＥｘを再呼出しするとともに、転送元端末機ＴＥｘに転送先端末機ＴＥ１の内線番号（例えば、内線番号「×××」）を表示させる制御を行う制御装置５と、転送に必要な呼制御情報（転送先端末機内線番号データ６ｃ）を格納する記憶装置６とを備えたので、一定時間が経過して転送先端末機ＴＥ１が応答しない時、転送元端末機ＴＥｘを再呼出しする際および転送元端末機ＴＥｘが再呼出しに応答する際には、転送元端末機ＴＥｘの表示器に転送先端末機ＴＥ１の内線番号（内線番号「×××」）を表示してオペレータに転送先端末機ＴＥ１を認識させ、局線呼の被転送者から再度転送要求があっても容易に転送操作を実行することができ、転送業務の効率化を図ることができる。
【００３５】
また、制御装置５は、再呼出しに転送元端末機ＴＥｘが応答した後、被転送者（加入電話機ＴＥＬの使用者）から再転送要求がある場合、オペレータが転送元端末機ＴＥｘの再転送釦Ｂ１を操作して転送元端末機ＴＥｘから供給される再転送信号に応じて記憶装置６から内線番号データの呼制御情報を読み出し、内線番号データ（内線番号「×××」）に基づいて転送先端末機ＴＥ１にダイヤル発信して局線呼を転送する。
【００３６】
この時、制御装置５は、オペレータが初回の転送操作で実行するフッキング操作（または、転送釦操作）と転送先端末機ＴＥ１の内線番号のダイヤル発信操作に伴う転送動作を、オペレータの再転送釦Ｂ１のワンタッチ操作で実行制御することになる。
【００３７】
これにより、転送元端末機ＴＥｘのオペレータは、再転送釦Ｂ１を操作するだけで、再呼出し応答時に、局線呼の転送先端末機ＴＥ１への再転送をワンタッチ操作で実行することができる。
【００３８】
このように、この発明に係る制御装置５は、再呼出しに転送元端末機ＴＥｘが応答した後、転送元端末機ＴＥｘから供給される再転送信号に応じて記憶装置６から内線番号データ（内線番号「×××」）の呼制御情報を読み出し、内線番号データに基づいて転送先端末機ＴＥ１にダイヤル発信して局線呼を転送するので、オペレータは局線呼の被転送者から再転送要求がある時には、転送元端末機ＴＥｘの再転送釦Ｂ１をワンタッチ操作するだけで、転送先端末機ＴＥ１にダイヤル発信して転送することができ、転送の操作性を向上させることができる。
【００３９】
さらに、制御装置５は、再呼出しに転送元端末機ＴＥｘが応答した後、オペレータが転送元端末機ＴＥｘの音声録音釦Ｂ２を操作して転送元端末機ＴＥｘから供給される音声録音信号に応じて記憶装置６から内線番号データの呼制御情報を読み出し、内線番号データ（内線番号「×××」）に基づいてボックス番号を音声録音装置８に提供して局線呼を音声録音装置８に転送する。
【００４０】
これにより、転送時の呼出しに一定時間経過しても転送先端末機ＴＥ１が不応答の場合、タイマ手段７から提供されるタイムオーバのタイマ信号で制御装置５の制御動作により、被転送者の要望により転送先端末機ＴＥ１に伝言を残す場合には、転送元端末機ＴＥｘの音声録音釦Ｂ２をワンタッチ操作するだけで、局線呼を音声録音装置８に転送し、被転送者の音声を音声録音装置８で受け、被転送者の伝言をメモなどで残すことがなく、転送先端末機ＴＥ１に被転送者の伝言を被転送者の音声で伝えることができる。
【００４１】
このように、この発明に係る制御装置５は、再呼出しに転送元端末機ＴＥｘが応答した後、転送元端末機ＴＥｘから供給される音声録音信号に応じて記憶装置６から内線番号データ（内線番号「×××」）の呼制御情報を読み出し、内線番号データ（内線番号「×××」）に基づいてボックス番号（例えば、ボックス番号「２０００」）を音声録音装置８に提供して局線呼を音声録音装置８に転送するので、転送先端末機ＴＥ１が不応答の時に、被転送者の要望により転送先端末機ＴＥ１に伝言を残す場合には、転送元端末機ＴＥｘの音声録音釦Ｂ２をワンタッチ操作するだけで、局線呼を音声録音装置８に転送し、被転送者の音声を録音装置８で受け、被転送者の伝言をメモなどで残すことがなく、転送先端末機ＴＥ１に被転送者の伝言を被転送者の音声で伝えることができ、受付業務の効率化ならびに伝言サービスの向上を図ることができる。
【００４２】
また、制御装置５は、再呼出しに転送元端末機ＴＥｘが応答した後、オペレータが転送元端末機ＴＥｘの着信通知釦Ｂ３を操作して転送元端末機ＴＥｘから供給される着信通知信号に応じて記憶装置６から内線番号データ（内線番号「×××」）の呼制御情報を読み出し、内線番号データに基づいて局線呼の電話番号（例えば、電話番号「○○○○○○」）と着信メッセージを対応付けた着信通知メッセージを形成する。
【００４３】
これにより、転送先端末機ＴＥ１が転送の呼出しに一定時間不応答の時に、被転送者の要望により転送先端末機ＴＥ１に着信メッセージを残す場合には、転送元端末機ＴＥｘの着信通知釦Ｂ３をワンタッチ操作するだけで、着信通知装置９を起動し、例えば、『電話番号○○○○○○様から電話がございました。○○月●●日□□時△△分』等の着信通知メッセージを形成して残すことができる。
【００４４】
このように、この発明に係る制御装置５は、再呼出しに転送元端末機ＴＥｘが応答した後、転送元端末機ＴＥｘから供給される着信通知信号に応じて記憶装置６から内線番号データ（内線番号「×××」）の呼制御情報を読み出し、内線番号データに基づいて局線呼の電話番号（電話番号「○○○○○○」）と着信メッセージを対応付けた着信通知メッセージを形成するので、転送先端末機ＴＥ１が不応答の時に、被転送者の要望により転送先端末機ＴＥ１に着信メッセージを残す場合には、転送元端末機ＴＥｘの着信通知釦Ｂ３をワンタッチ操作するだけで、例えば、『電話番号○○○○○○様から電話がございました。○○月●●日□□時△△分』等の着信通知メッセージを形成して残すことができ、受付業務の効率化ならびに伝言サービスの向上を図ることができる。
【００４５】
さらに、制御装置５は、再呼出しに転送元端末機ＴＥｘが応答できず、タイマ手段７が所定時間を計時した時、転送元端末機ＴＥｘの再呼出しを停止し、記憶装置６に格納された内線番号データ（内線番号「×××」）に基づいてボックス番号（例えば、ボックス番号「２０００」）を指定して局線呼を音声録音装置８に転送して接続し、被転送者の音声伝言を録音して残す制御を実行する。
【００４６】
これにより、再呼出しされた転送元端末機ＴＥｘが所定時間経過しても不応答の場合、被転送者を不必要に長い時間待たせることなく、音声伝言サービスを提供することができ、サービスの向上を図ることができる。
【００４７】
また、制御装置５は、転送元端末機ＴＥｘが再呼出しに所定時間不応答の際に、局線呼を音声録音装置８に転送して音声伝言サービスを提供しても、被転送者が局線呼を切断した場合には、内線番号データに基づいて局線呼の電話番号（電話番号「○○○○○○」）と着信メッセージを対応付けた着信通知メッセージを形成し、例えば、『電話番号○○○○○○様から電話がございました。○○月●●日□□時△△分』等の着信通知メッセージを残すようにすることができる。
【００４８】
これにより、転送元端末機ＴＥｘが再呼出しに所定時間経過しても不応答の際には、被転送者が電話を切っても『電話番号○○○○○○様から電話がございました。○○月●●日□□時△△分』等の着信通知メッセージを残すことができ、宿泊客への着信通知メッセージのサービスを向上することができる。
【００４９】
また、構内交換機２は、局線呼の加入電話機（被転送電話機ＴＥＬ）の利用者からの伝言を音声で録音する音声録音装置８と、局線呼の加入電話機の利用者から電話があったことを通知する着信通知装置９とを備える。
【００５０】
音声録音装置８は、ボックス番号に対応して音声録音領域を備え、制御装置５からボックス番号（例えば、ボックス番号「２０００」）を指定して録音指令がある場合、接続した被転送電話機ＴＥＬの被転送者の伝言を音声で録音する。
【００５１】
また、音声録音装置８は、制御装置５からボックス番号（例えば、ボックス番号「２０００」）を指定して再生指令がある場合、音声録音領域から録音された音声信号を出力する。
【００５２】
着信通知装置９は、音声合成装置などで構成し、制御装置５の制御により、着信通知メッセージの共通のメッセージを合成音（例えば、『電話番号○○○○○○様から電話がございました。』）を形成して、発生する。
【００５３】
なお、電話番号「○○○○○○」は、制御装置５が局線呼を受信した時に、ナンバーディスプレイで通知されるデータを合成音に変換して発生する。また、局線呼があった時間の時刻信号（○○月●●日□□時△△分）を音声伝言または着信通知メッセージのタイムスタンプとして合成音に変換して発生する。
【００５４】
このように、この発明に係る構内交換機２は、局線呼の加入電話機（被転送電話機ＴＥＬ）の利用者（被転送者）からの伝言を音声で録音する音声録音装置８と、局線呼の加入電話機（被転送電話機ＴＥＬ）の利用者（被転送者）から電話があったことを通知する着信通知装置９とを備えたので、転送先端末機ＴＥ１が不応答の時に、局線呼の加入電話機の利用者（被転送者）からの伝言を音声で残したり、電話のあったことを着信通知メッセージで残すことができ、宿泊客へのサービス向上を図ることができる。
【００５５】
転送元端末機ＴＥｘ（多機能電話機ＴＥｘ）は、ハンドセットＨＳ、表示器ＬＣＤ、ダイヤルキーＤＫ、再転送釦Ｂ１、音声録音釦Ｂ２、着信通知釦Ｂ３を備える。
【００５６】
表示器ＬＣＤは、転送元端末機ＴＥｘが再呼出しされた時または再呼出しに応答した時に、転送先端末機ＴＥ１の内線番号（内線番号「×××」）、被転送電話機ＴＥＬの電話番号（電話番号「○○○○○○」）を表示する。
【００５７】
再転送釦Ｂ１は、転送元端末機ＴＥｘが再呼出しに応答し、被転送電話機ＴＥＬの被転送者から再度転送の要求がある場合に、ワンタッチ操作で再転送信号を制御装置５に供給し、転送先端末機ＴＥ１への再転送を実行する。
【００５８】
音声録音釦Ｂ２は、転送元端末機ＴＥｘが再呼出しに応答し、被転送電話機ＴＥＬの被転送者から音声伝言の要求がある場合、ワンタッチ操作で音声録音信号を制御装置５に供給し、音声録音装置８を起動して転送先端末機ＴＥ１への音声伝言サービスを実行する。
【００５９】
着信通知釦Ｂ３は、転送元端末機ＴＥｘが再呼出しに応答し、被転送電話機ＴＥＬの被転送者から着信通知メッセージの要求がある場合、ワンタッチ操作で着信通知信号を制御装置５に供給し、着信通知装置９を起動して転送先端末機ＴＥ１への着信通知メッセージのサービスを実行する。
【００６０】
転送先端末機（内線電話機ＴＥ１）ＴＥ１は、ハンドセットＨＳ、ダイヤルキーＤＫ、メッセージランプＬＥＤ、メッセージ釦Ｂｎを備える。
【００６１】
メッセージランプＬＥＤは、留守中に局線呼の音声伝言または着信通知メッセージがあったことを宿泊者に通知する。
【００６２】
メッセージ釦Ｂｎは、音声伝言または着信通知メッセージを聞くための釦で、宿泊者がハンドセットＨＳを持上げて（オフフック）から釦を操作すると、留守中の音声伝言または着信通知メッセージを聞き取ることができる。
【００６３】
このように、この発明に係る転送元端末機ＴＥｘは、再呼出しされた時に転送先端末機ＴＥ１の内線番号（例えば、電話番号「×××」）を表示する表示器ＬＣＤと、再呼出しに応答後に局線呼を転送先端末機ＴＥ１に転送する再転送釦Ｂ１と、再呼出しに応答後に局線呼を音声録音装置８に転送する音声録音釦Ｂ２と、再呼出しに応答後に着信通知メッセージを形成する着信通知釦Ｂ３とを備えたので、オペレータは、再転送、音声伝言録音および着信通知の操作を釦のワンタッチ操作で実行することができ、操作性が良く、転送業務を効率的に遂行することができる。
【００６４】
また、この発明に係る転送先端末機ＴＥ１は、留守中に着信があったことを表示するメッセージランプＬＥＤと、音声伝言または着信通知メッセージを聞くためのメッセージ釦Ｂｎを備えたので、宿泊者は、メッセージランプＬＥＤの点灯で伝言があることを知ることができ、メッセージ釦Ｂｎをワンタッチ操作することで、音声伝言または着信通知メッセージを聞き取ることができ、留守中の伝言サービスの向上を図ることができる。
【００６５】
次に、構内交換機システムの転送再呼出しの動作について説明する。図３はこの発明に係る構内交換機システムの転送動作遷移イメージ図である。（ａ）図は転送元端末機ＴＥｘから転送先端末機ＴＥ１への転送開始状態、（ｂ）図は転送先端末機ＴＥ１の転送呼出し状態、（ｃ）図は転送先端末機ＴＥ１が不応答で転送元端末機ＴＥｘの再呼出し状態、（ｄ）図は転送元端末機ＴＥｘの再呼出し応答状態を表わす。なお、転送元端末機の呼制御情報領域６ｂおよび転送先端末機内線番号データ６ｃの状態も合わせて示す。
【００６６】
（ａ）図では、転送元端末機ＴＥｘが局線呼の１回目の呼出しに応答し、転送操作（例えば、フッキング）をした後に、転送先端末機ＴＥ１の内線番号（内線番号「×××」）をダイヤル発信操作をした状態であり、公衆網ＮＴの局線（被転送電話機ＴＥＬが接続）に保留音を送出する。なお、転送元端末機の呼制御情報領域６ｂには転送先端末機内線番号データ６ｃ（内線番号）が書き込まれない空きの状態にある。
【００６７】
（ｂ）図では、局線呼を転送するために転送先端末機ＴＥ１を呼び出すと同時に、公衆網ＮＴの局線（被転送電話機ＴＥＬが接続）にリングバックトーンを送出する。また、転送元端末機ＴＥｘは内線から開放された状態にある。
【００６８】
（ｃ）図では、転送先端末機ＴＥ１を呼び出して一定時間経過しても応答がないため、転送先端末機ＴＥ１の呼出しを停止し、転送元端末機ＴＥｘを再呼出し（呼び返し）をすると同時に、公衆網ＮＴの局線（被転送電話機ＴＥＬが接続）にリングバックトーンを送出する。なお、このタイミングで転送元端末機ＴＥｘの呼制御情報領域６ｂに転送先端末機内線番号データ６ｃ（内線番号「×××」）が書き込まれ、表示器ＬＣＤには図４の（ａ）図に示すように、転送元端末機ＴＥｘの表示器ＬＣＤに不応答メッセージ、被転送電話機ＴＥＬの電話番号（電話番号「○○○○○○」）および転送先端末機ＴＥ１の内線番号（内線番号「×××」）が表示される状態となる。また、転送先端末機ＴＥ１は内線から開放される。
【００６９】
（ｄ）図では、転送元端末機ＴＥｘのオペレータが表示器ＬＣＤを見て、再呼出しの状態を認識し、再呼出しに応答して被転送電話機ＴＥＬの被転送者（顧客）と通話する。なお、再呼出しに応答すると、転送元端末機ＴＥｘの表示器ＬＣＤには、図４の（ｂ）図に示すように、被転送電話機ＴＥＬの電話番号（電話番号「○○○○○○」）および転送先端末機ＴＥ１の内線番号（内線番号「×××」）が表示される状態となる。
【００７０】
（ｄ）図以降は、前述したように、転送元端末機ＴＥｘの再転送釦Ｂ１、音声録音釦Ｂ２、着信通知釦Ｂ３を操作することにより、それぞれ転送先端末機ＴＥ１への再転送、音声メッセージ録音および着信通知メッセージを実行する。
【００７１】
図４はこの発明に係る転送元端末機に搭載した表示器の一実施の形態表示イメージ図である。（ａ）図は再呼出し中の表示イメージ、（ｂ）図は再呼出しに応答状態の表示イメージを表す。
【００７２】
（ａ）図において、表示器ＬＣＤには、不応答メッセージ１０ａ「不応答」、被転送電話番号１０ｂ「○○○○○○」、転送先内線番号１０ｃ「×××」が表示される。この表示により、転送元端末機ＴＥｘのオペレータは、再呼出しが先ほど転送した局線呼で、転送先端末機ＴＥ１が不応答のための再呼出しと認識することができる。
【００７３】
（ｂ）図において、表示器ＬＣＤには、不応答メッセージ１０ａ「不応答」の表示が消去され、被転送電話番号１０ｂ「○○○○○○」、転送先内線番号１０ｃ「×××」が表示される。この表示により、被転送電話機ＴＥＬの被転送者から転送先内線番号「×××」への再転送要請がある場合、オペレータは、転送元端末機ＴＥｘの再転送釦Ｂ１を操作することで、通常の転送操作（例えば、フッキング操作＋内線番号「×××」ダイヤル操作）を省略してワンタッチ操作で再転送を実行することができる。
【００７４】
以上説明したように、この発明に係る構内交換機システム１は、構内交換機２に、転送元端末機ＴＥｘおよび転送先端末機ＴＥ１の転送呼の制御を実行し、転送先端末機ＴＥ１が一定時間経過しても呼出しに不応答の時に、転送先端末機ＴＥ１の呼出しを停止し、転送元端末機ＴＥｘを再呼出しする場合および転送元端末機ＴＥｘが再呼出しに応答する場合に、転送元端末機ＴＥｘに転送先端末機ＴＥ１の内線番号（例えば、内線番号「×××」）を表示させる再呼出し手段４を備えたので、内線番号に基づいて再転送時のダイヤル発信、局線呼の音声録音ならびに着信通知メッセージの形成などの転送動作を実現することができ、転送業務の効率化ならびに利便性の向上を図ることができる。
【００７５】
続いて、この発明に係る再呼出し手段の再転送までの動作フローについて説明する。図５はこの発明に係る再呼出し手段の一実施の形態要部転送動作フロー図である。なお、動作フローは、図１を参照して説明する。
【００７６】
公衆網ＮＴを介した加入電話機ＴＥＬ（被転送電話機ＴＥＬ）からの局線呼を構内交換機２が受信して転送元端末機ＴＥｘを呼び出し（１回目の呼出し）、転送元端末機ＴＥｘが局線呼に応答した後、オペレータが転送操作（例えば、フッキング操作＋内線番号「×××」ダイヤル操作）し、ステップＳ１では、転送先端末機ＴＥ１を呼び出す。なお、ステップＳ１の動作は、通話路スイッチ３および再呼出し手段４の制御装置５が実行する。
【００７７】
ステップＳ２では、転送先端末機ＴＥ１が呼出しに一定時間で応答したか否かを判定し、応答した場合には転送処理を終了する。一方、応答しなかった場合にはステップＳ３に移行する。なお、ステップＳ２の動作は、再呼出し手段４の制御装置５およびタイマ手段７が実行する。
【００７８】
ステップＳ３では、転送先端末機ＴＥ１の呼出しを停止し、転送元端末機ＴＥｘを再呼出し（２回目の呼出し）する。なお、ステップＳ３の動作は、通話路スイッチ３および再呼出し手段４の制御装置５が実行する。
【００７９】
ステップＳ４では、転送元端末機ＴＥｘに転送先端末機ＴＥ１の内線番号（内線番号「×××」）を表示する。なお、ステップＳ４の動作は、再呼出し手段４の制御装置５および記憶装置６が実行する。
【００８０】
ステップＳ５では，再呼出しに転送元端末機ＴＥｘが所定時間で応答したか否かを判定し、応答した場合には被転送電話機ＴＥＬの被転送者の要求に応じてステップＳ６に移行したり、転送先端末機ＴＥ１の不在を被転送者に告げて転送処理を終了する。一方、応答しない場合には転送処理を終了する。なお、ステップＳ５の動作は、再呼出し手段４の制御装置５およびタイマ手段７が実行する。
【００８１】
ステップＳ６では、被転送者の再転送要求に応じてオペレータが転送元端末機ＴＥｘの再転送釦Ｂ１をワンタッチ操作すると、再転送信号を受け、内線番号（内線番号「×××」）に基づいて局線呼を転送先端末機ＴＥ１に再転送する。なお、ステップＳ６の動作は、通話路スイッチ３、再呼出し手段４の制御装置５および記憶装置６が実行する。
【００８２】
ステップＳ６以降は、ステップＳ１からステップＳ５を繰り返し、２回目のステップＳ５で応答した時には、転送先端末機ＴＥ１の不在を告げて転送処理を終了する。
【００８３】
なお、本実施の形態では、構内交換機システム１をホテル内の多機能電話機ＴＥｘ（転送元端末機ＴＥｘ）および内線電話機ＴＥ１（転送先端末機ＴＥ１）で説明したが、企業や事務所の全内線電話機を多機能電話機にし、全ての多機能電話機が転送元端末機または転送先端末機として使用可能な形態にしてもよい。
【産業上の利用可能性】
【００８４】
本発明は、構内交換機に、転送元端末機および転送先端末機の転送呼の制御を実行し、転送先端末機が一定時間経過しても呼出しに不応答の時に、転送先端末機の呼出しを停止し、転送元端末機を再呼出しする場合および転送元端末機が再呼出しに応答する場合に、転送元端末機に転送先端末機の内線番号を表示させる再呼出し手段を備えたので、内線番号に基づいて再転送時のダイヤル発信、局線呼の音声録音ならびに着信通知メッセージの形成などの転送動作を実現することができるために、局線からの呼に応答し、応答した呼を転送する構内交換機システムに係り、特に転送先端末機が一定時間経過しても不応答の時に転送元端末機を再呼出しし、転送元端末機の表示器に転送先端末機の内線番号を表示する交換機並びに着信呼の転送処理方法等に好適であるといえる。
【図面の簡単な説明】
【００８５】
【図１】この発明に係る構内交換機システムの実施の形態基本ブロック構成図
【図２】この発明に係る記憶装置の一実施の形態呼制御情報領域イメージ図
【図３】この発明に係る構内交換機システムの転送動作遷移イメージ図
【図４】この発明に係る転送元端末機に搭載した表示器の一実施の形態表示イメージ図
【図５】この発明に係る再呼出し手段の一実施の形態要部転送動作フロー図
【符号の説明】
【００８６】
１    構内交換機システム
２    構内交換機
３    通話路スイッチ
４    再呼出し手段
５    制御装置
６    記憶装置
６ａ    呼制御情報領域
６ｂ    転送元端末機の呼制御情報領域
６ｃ    転送先端末機内線番号データ
７    タイマ手段
８    音声録音装置
９    着信通知装置
１０ａ    不応答メッセージ
１０ｂ    被転送電話番号
１０ｃ    転送先内線番号
ＢＵ    制御バス
ＬＮ１〜ＬＮｎ，ＬＮｘ    内線トランク
ＣＯＴ１〜ＣＯＴｋ    局線トランク
ＴＥ１〜ＴＥｎ    内線電話機（転送先端末機）
ＴＥｘ    多機能電話機（転送元端末機）
ＴＥＬ    加入電話機（被転送電話機）
ＮＴ    公衆網
ＨＳ    ハンドセット
ＤＫ    ダイヤルキー
ＬＥＤ    メッセージランプ
Ｂｎ    メッセージ釦
ＬＣＤ    表示器
Ｂ１    再転送釦
Ｂ２    音声録音釦
Ｂ３    着信通知釦
【図１】
2008160885.tif 000003
【図２】
2008160885.tif 000004
【図３】
2008160885.tif 000005
【図４】
2008160885.tif 000006
【図５】
2008160885.tif 000007